(57)【要約】【課題】スイッチばねと、そのスイッチばねを嵌める嵌合部との干渉による作動不良を防止する。  【解決手段】外輪１と内輪２との間に保持器４とローラ５を配置して、そのローラ５を中立位置に保持するスイッチばね１０を組み込んだ二方向ローラクラッチＲを備え、電磁クラッチＳの動作により保持器４を回転させて前記内外輪２，１を係合させる回転伝達装置である。Ｃ形の形状を成すスイッチばね１０を、前記内輪２内に設けた嵌合部Ｂの内径面２１ｂに沿って嵌め、スイッチばね１０の両端において径方向外側に伸びる並行部１０ａ’，１０ｂ’を、内輪２の切欠き１２の係止面１２ａ，１２ｂと、保持器４の切欠き１１の係止面１１ａ，１１ｂとにそれぞれ係止し、その弾性力でローラ５を中立状態に保持する。その切欠き１２の係止面１２ａ，１２ｂと内径面２１ｂとの成す稜線部Ｃに面取り部２０を設けたので、スイッチばね１０の曲げ点に稜線部Ｃが当たらず、干渉による作動不良を防止することができる。【選択図】図１
2008038929.tif 000002
【特許請求の範囲】
【請求項１】
同軸心上に相対回転可能に配置した外輪１と内輪２との対向面の前記外輪１に円筒面を、前記内輪２にその円筒面との間で楔空間を形成する複数のカム面を形成し、その対向面間に設けた保持器４によって前記円筒面とカム面との間に係合するローラ５を保持して、前記保持器４と前記外輪１又は内輪２との間に、前記ローラ５を係合させず中立位置に保持する機能を備えたスイッチばね１０を組み込み、前記保持器４に対して軸方向に移動可能且つ軸周り相対回転不能なアーマチュア１４を設けて、前記アーマチュア１４を通電及び非通電の切り換えにより軸方向に移動させる電磁コイル１３を設け、前記アーマチュア１４の軸方向移動により、そのアーマチュア１４を前記外輪１又は内輪２と一体に回転するロータ１５に対して吸着させ、その吸着面に作用する摩擦抵抗により前記保持器４を前記外輪１又は内輪２と相対回転させて前記ローラ５を前記円筒面とカム面との間に係合させる回転伝達装置において、
前記スイッチばね１０は前記内輪２に設けた内径面２１ｂに沿って嵌められて、その両端部１０ａ，１０ｂが前記内径面２１ｂに沿う部分から外径方向に伸びて、その内輪２に設けた切欠き１２の相対する係止面１２ａ，１２ｂと、前記保持器４に設けた切欠き１１の相対する係止面１１ａ，１１ｂとに係止されて前記中立位置を保持し、前記内輪２に形成した前記各係止面１２ａ，１２ｂと前記内径面２１ｂとの成す軸方向の稜線部Ｃに、面取り部２０を設けたことを特徴とする回転伝達装置。
【請求項２】
同軸心上に相対回転可能に配置した外輪１と内輪２との対向面の前記内輪２に円筒面を、前記外輪１にその円筒面との間で楔空間を形成する複数のカム面を形成し、その対向面間に設けた保持器４によって前記円筒面とカム面との間に係合するローラ５を保持して、前記保持器４と前記外輪１又は内輪２との間に、前記ローラ５を係合させず中立位置に保持する機能を備えたスイッチばね１０を組み込み、前記保持器４に対して軸方向に移動可能且つ軸周り相対回転不能なアーマチュア１４を設けて、前記アーマチュア１４を通電及び非通電の切り換えにより軸方向に移動させる電磁コイル１３を設け、前記アーマチュア１４の軸方向移動により、そのアーマチュア１４を前記外輪１又は内輪２と一体に回転するロータ１５に対して吸着させ、その吸着面に作用する摩擦抵抗により前記保持器４を前記外輪１又は内輪２と相対回転させて前記ローラ５を前記円筒面とカム面との間に係合させる回転伝達装置において、
前記スイッチばね１０は前記保持器４に設けた内径面２１ｄに沿って嵌められて、その両端部１０ａ，１０ｂが前記内径面２１ｄに沿う部分から外径方向に伸びて、前記保持器４に設けた切欠き１１の相対する係止面１１ａ，１１ｂと、前記外輪１に設けた切欠き１２の相対する係止面１２ａ，１２ｂとに係止されて前記中立位置を保持し、前記保持器４に形成した各係止面１１ａ，１１ｂと内径面２１ｄとの成す軸方向の稜線部Ｃに、面取り部２０を設けたことを特徴とする回転伝達装置。
【請求項３】
同軸心上に相対回転可能に配置した外輪１と内輪２との対向面の前記内輪２に円筒面を、前記外輪１にその円筒面との間で楔空間を形成する複数のカム面を形成し、その対向面間に設けた保持器４によって前記円筒面とカム面との間に係合するローラ５を保持して、前記保持器４と前記外輪１又は内輪２との間に、前記ローラ５を係合させず中立位置に保持する機能を備えたスイッチばね１０を組み込み、前記保持器４に対して軸方向に移動可能且つ軸周り相対回転不能なアーマチュア１４を設けて、前記アーマチュア１４を通電及び非通電の切り換えにより軸方向に移動させる電磁コイル１３を設け、前記アーマチュア１４の軸方向移動により、そのアーマチュア１４を前記外輪１又は内輪２と一体に回転するロータ１５に対して吸着させ、その吸着面に作用する摩擦抵抗により前記保持器４を前記外輪１又は内輪２と相対回転させて前記ローラ５を前記円筒面とカム面との間に係合させる回転伝達装置において、
前記スイッチばね１０は前記外輪１に設けた外径面２１ａに沿って嵌められて、その両端部１０ａ，１０ｂが前記外径面２１ａに沿う部分から内径方向に伸びて、その外輪１に設けた切欠き１２の相対する係止面１２ａ，１２ｂと、前記保持器４に設けた切欠き１１の相対する係止面１１ａ，１１ｂとに係止されて前記中立位置を保持し、前記外輪１に形成した前記各係止面１２ａ，１２ｂと前記外径面２１ａとの成す軸方向の稜線部Ｃに、面取り部２０を設けたことを特徴とする回転伝達装置。
【請求項４】
同軸心上に相対回転可能に配置した外輪１と内輪２との対向面の前記外輪１に円筒面を、前記内輪２にその円筒面との間で楔空間を形成する複数のカム面を形成し、その対向面間に設けた保持器４によって前記円筒面とカム面との間に係合するローラ５を保持して、前記保持器４と前記外輪１又は内輪２との間に、前記ローラ５を係合させず中立位置に保持する機能を備えたスイッチばね１０を組み込み、前記保持器４に対して軸方向に移動可能且つ軸周り相対回転不能なアーマチュア１４を設けて、前記アーマチュア１４を通電及び非通電の切り換えにより軸方向に移動させる電磁コイル１３を設け、前記アーマチュア１４の軸方向移動により、そのアーマチュア１４を前記外輪１又は内輪２と一体に回転するロータ１５に対して吸着させ、その吸着面に作用する摩擦抵抗により前記保持器４を前記外輪１又は内輪２と相対回転させて前記ローラ５を前記円筒面とカム面との間に係合させる回転伝達装置において、
前記スイッチばね１０は前記保持器４に設けた外径面２１ｃに沿って嵌められて、その両端部１０ａ，１０ｂが前記外径面２１ｃに沿う部分から内径方向に伸びて、前記保持器４に設けた切欠き１１の相対する係止面１１ａ，１１ｂと、前記内輪２に設けた切欠き１２の相対する係止面１２ａ，１２ｂとに係止されて前記中立位置を保持し、前記保持器４に形成した各係止面１１ａ，１１ｂと外径面２１ｃとの成す軸方向の稜線部Ｃに、面取り部２０を設けたことを特徴とする回転伝達装置。
【請求項５】
前記スイッチばね１０はその全長に亘って断面円形の軸で構成され、前記外輪１又は内輪２に設けた切欠き１２の相対する係止面１２ａ，１２ｂに、それぞれ前記スイッチばね１０の軸周面に沿う断面形状を有する径方向溝２２ａ，２２ｂが形成されて、前記スイッチばね１０の両端部１０ａ，１０ｂは、それぞれ前記径方向溝２２ａ，２２ｂに嵌って前記係止面１２ａ，１２ｂに係止されることを特徴とする請求項１乃至４のいずれかに記載の回転伝達装置。
【請求項６】
前記外径面２１ａ，２１ｃ又は前記内径面２１ｂ，２１ｄに、前記スイッチばね１０の軸周面に沿う断面形状を有する周方向溝２３が形成されて、前記スイッチばね１０は、前記周方向溝２３に嵌って前記外径面２１ａ，２１ｃ又は内径面２１ｂ，２１ｄに係止されることを特徴とする請求項５に記載の回転伝達装置。
【発明の詳細な説明】
【技術分野】
【０００１】
この発明は、車両等の動力伝達経路において、動力の伝達と遮断の切換えに用いられる回転伝達装置に関するものである。
【背景技術】
【０００２】
車両等の動力伝達経路において、動力の伝達と遮断の切換えに用いられる回転伝達装置として、例えば、図１０乃至図１４に記載されたものが従来から知られている。
この回転伝達装置は、図１０に示すように、入力軸２’と直結した内輪２と、その外側に同軸上に配置された外輪１とが相対回転可能となっており、その内外輪２，１間に二方向ローラクラッチＲを組込み、その二方向ローラクラッチＲのオン、オフを電磁クラッチＳにより制御して、入力軸２’から外輪１への回転トルクの伝達と遮断とを行なうようにしている。
【０００３】
この二方向ローラクラッチＲの構成は、図１１に示すように、外輪１の内周面に円筒面１ａを、その円筒面１ａに対向する内輪２の外周に、前記円筒面１ａとの間で周方向の楔空間を形成する複数のカム面２ａが形成されており、その円筒面１ａとカム面２ａとの間に保持器４を設け、その保持器４に周方向一定の間隔で形成されたポケット４ａ内（図１４参照）に、それぞれローラ５が組み込まれている。
前記電磁クラッチSにより制御される入力軸２’に対する保持器４の相対回転により、ローラ５を内輪２と外輪１との間の前記楔空間に噛み込ませて、入力軸２’の回転を外輪１に伝えるようにしている。  
【０００４】
その電磁クラッチＳの構成は、前記保持器４に対して回り止めされ、かつ軸方向に移動可能なアーマチュア１４と、前記外輪１に回り止めされて前記アーマチュア１４と軸方向に対向するロータ１５と、そのロータ１５と軸方向に対向する電磁石とから成り、その電磁石の電磁コイル１３に対する通電によりロータ１５にアーマチュア１４を吸着し、その吸着面に作用する摩擦抵抗により、入力軸２’に対し保持器４を相対回転させて、ローラ５を前記楔空間に噛み込ませるようにしている。
【０００５】
また、前記保持器４と前記内輪２との間に、前記ローラ５を係合させず中立位置に保持する機能を備えたスイッチばね１０が組み込まれている。
【０００６】
スイッチばね１０は、図１２に示すように、周方向一箇所が開口した環状部１０ｃを有するＣ形の形状を成し、その開口を挟むスイッチばね１０の両端部１０ａ，１０ｂが、前記環状部１０ｃからそれぞれ径方向外側に向かって伸びて対向する並行部１０ａ’，１０ｂ’を成している。
【０００７】
このスイッチばね１０の環状部１０ｃが、前記内輪２のカム面２ａのさらに内周側に設けた孔（嵌合部）Ｂの内径面２１ｂに沿って嵌められ、前記両端部１０ａ，１０ｂの並行部１０ａ’，１０ｂ’が、前記嵌合部Ｂから径方向外側に向かって伸びる切欠き１２の相対する端面（係止面）１２ａ，１２ｂと、前記保持器４に形成された径方向に伸びる切欠き１１の相対する端面（係止面）１１ａ，１１ｂとにそれぞれ係止可能となっている。
【０００８】
ローラ５が、図１１に示す中立状態にあるとき、そのローラ５と外輪１の内周円筒面１ａとの間に隙間が存在し、外輪１と内輪２とは係合解除状態となっている。
前記電磁クラッチＳの動作により、アーマチュア１４を介して保持器４にロータ１５の回転が伝達され、その保持器４が図１３に示す矢印ａの方向へ回転すると、ローラ５が前記楔空間、すなわち、外輪１の内周の円筒面１ａと内輪２の外周のカム面２ａに係合し、外輪１と内輪２とが係合状態となる。このとき、スイッチばね１０は、その弾性力に抗して、図中の矢印ｂの方向に押された状態になっている。また、矢印aと逆の方向でも同様の動きとなる。
【０００９】
前記電磁クラッチＳの動作により、ロータ１５からアーマチュア１４への回転伝達が解除されると、スイッチばね１０の弾性力で保持器４が前記矢印ａの反対方向へ回転し、前記両切欠き１１，１２の周方向位置が合わされて中立状態となり、外輪１と内輪２との係合解除状態が保持されるようになっている（例えば、特許文献１参照）。
【特許文献１】特開平１１−３３６７９９号公報
【発明の開示】
【発明が解決しようとする課題】
【００１０】
この種の回転伝達装置において、図１２に示すように、前記内輪２に設けた切欠き１２の相対する端面１２ａ，１２ｂと、前記嵌合部Ｂの内径面２１ｂとの成す軸方向の稜線部Ｃが、スイッチばね１０の両端部１０ａ，１０ｂに向かって突出しているため、その両端部１０ａ，１０ｂにおいて、前記稜線部Ｃがスイッチばね１０（特に、端部１０ａもしくは１０ｂと環状部１０ｃとの連結部外径側）と干渉して、そのスイッチばね１０の作動を阻害することがある。スイッチばね１０の両端部１０ａ，１０ｂは、前記稜線部Ｃに対して周方向、すなわち図中左側の端部１０ａであれば前記矢印ｂの方向及びその反対方向へ接近、離反を繰り返す可動部分となっているからである。
【００１１】
スイッチばね１０の作動に上記干渉が生じると、そのスイッチばね１０の弾性力が保持器４に対して適正に動作せず、二方向ローラクラッチRを係合状態から係合解除状態（前記中立状態）に正常に戻せない事態、あるいは、逆に、スイッチばね１０がローラ５や保持器４の動きを拘束する等して、係合解除状態から係合状態に正常に移行できない事態が生じ得ることもある。このため、スイッチばね１０と、そのスイッチばね１０を嵌めた周囲部材との干渉は、排除することが望ましい。
【００１２】
そこで、この発明は、スイッチばねと、そのスイッチばねを嵌める嵌合部との干渉による作動不良を防止することを課題とする。
【課題を解決するための手段】
【００１３】
上記の課題を解決するために、この発明は、同軸心上に相対回転可能に配置した外輪と内輪との対向面の前記外輪に円筒面を、前記内輪にその円筒面との間で楔空間を形成する複数のカム面を形成し、その対向面間に設けた保持器によって前記円筒面とカム面との間に係合するローラを保持して、前記保持器と前記外輪又は内輪との間に、前記ローラを係合させず中立位置に保持する機能を備えたスイッチばねを組み込み、前記保持器に対して軸方向に移動可能且つ軸周り相対回転不能なアーマチュアを設けて、前記アーマチュアを通電及び非通電の切り換えにより軸方向に移動させる電磁コイルを設け、前記アーマチュアの軸方向移動により、そのアーマチュアを前記外輪又は内輪と一体に回転するロータに対して吸着させ、その吸着面に作用する摩擦抵抗により前記保持器を外輪又は内輪と相対回転させて前記ローラを前記円筒面とカム面との間に係合させる回転伝達装置において、前記スイッチばねは前記内輪に設けた内径面に沿って嵌められて、その両端部が前記内径面に沿う部分から外径方向に伸びて、その内輪に設けた切欠きの相対する係止面と、前記保持器に設けた切欠きの相対する係止面とに係止されて前記中立位置を保持し、前記内輪に形成した前記各係止面と前記内径面との成す軸方向の稜線部に、面取り部を設けた構成を採用した。
【００１４】
スイッチばねを内輪に設けた内径面に沿って嵌める場合、その内径面と内輪に設けた前記切欠きの係止面との成す軸方向の稜線部に、面取り部を設けた構成を採用したことにより、その稜線部の突出高さが抑えられて、稜線部は、スイッチばねの屈曲部、すなわち、スイッチばねの前記内径面に沿う部分と、その両端部の径方向に伸びる部分との結節点（曲げ点）に当たらないようになる。
このため、スイッチばねと、そのスイッチばねを嵌める内輪との干渉による作動不良を防止することができる。
【００１５】
また、他の構成として、内輪に前記円筒面を、外輪に前記カム面を形成した構成において、前記スイッチばねが前記保持器に設けた内径面に沿って嵌められる場合には、そのスイッチばねの両端部が、前記保持器の内径面に沿う部分から外径方向に伸びて、前記保持器に設けた切欠きの相対する係止面と、前記外輪に設けた切欠きの相対する係止面とに係止されて前記中立位置を保持する構成となり、その保持器に形成した前記各係止面と前記内径面との成す軸方向の稜線部に、面取り部を設けた構成を採用することができる。
このようにすれば、その保持器に設けた切欠きの係止面と内径面との成す軸方向の稜線部の突出高さが抑えられて、稜線部は、スイッチばねの屈曲部、すなわち、スイッチばねの前記内径面に沿う部分と、その両端部の径方向に伸びる部分との結節点（曲げ点）に当たらないようになり、前記スイッチばねを内輪に設けた内径面に沿って嵌める場合と同様の効果を発揮し得る。
【００１６】
さらに、他の構成として、内輪に前記円筒面を、外輪に前記カム面を形成した構成において、前記スイッチばねが前記外輪に設けた外径面に沿って嵌められる場合には、そのスイッチばねの両端部が、前記外径面に沿う部分から内径方向に伸びて、前記外輪に設けた切欠きの相対する係止面と、前記保持器に設けた切欠きの相対する係止面とに係止されて前記中立位置を保持する構成となり、その外輪に形成した前記各係止面と前記外径面との成す軸方向の稜線部に、面取り部を設けた構成を採用することができる。
その効果は、前記スイッチばねを内輪又は保持器に設けた内径面に沿って嵌める場合と同様である。
【００１７】
また、さらに他の構成として、外輪に前記円筒面を、内輪に前記カム面を形成した構成において、前記スイッチばねが前記保持器に設けた外径面に沿って嵌められる場合には、そのスイッチばねの両端部が、前記外径面に沿う部分から内径方向に伸びて、前記保持器に設けた切欠きの相対する係止面と、前記内輪に設けた切欠きの相対する係止面とに係止されて前記中立位置を保持する構成となり、その保持器に形成した前記各係止面と前記外径面との成す軸方向の稜線部に、面取り部を設けた構成を採用することができる。
【００１８】
なお、この面取り部は、前記スイッチばねを嵌める内径面又は外径面から、稜線部を隔てて隣り合う前記切欠きの係止面へ向かうフラット面であってもよいし、同じく、前記内径面又は外径面から、前記切欠きの係止面へと徐々にカーブする弧状面であってもよく、その稜線部が、スイッチばねの前記屈曲部に当たらないようにする形状で設けられることが望ましい。
また、その面取り部の範囲は、スイッチばねの両端部が前記切欠きの端面（係止面）に確実に係止され得る端面の面積が確保されることが要件となり、その係止に必要な端面の面積を確保し得る限りにおいて、面取り部を設定することが必要である。
また、面取り部を前記弧状面とする場合は、その弧状面の曲率が、前記スイッチばねの屈曲部における前記稜線部に対向する側の面の曲率よりも大きくなるように設定すると、前記稜線部が、スイッチばねの前記屈曲部に当たらないようにする上で有効である。
【００１９】
上記の構成において、前記スイッチばねはその全長に亘って断面円形の軸で構成され、前記外輪又は内輪に設けた切欠きの相対する係止面に、それぞれ前記スイッチばねの軸周面に沿う断面形状を有する径方向溝が形成されて、前記スイッチばねの両端部は、それぞれ前記径方向溝に嵌って前記係止面に係止される構成を採用することができる。
このようにすれば、スイッチばねの両端部が切欠きに形成された溝に嵌って、軸状を成すスイッチばねの周面と、切欠きとの接触面積が増加する。このため、スイッチばねの切欠きの係止面間に生じる面圧を低減することができる。面圧が低減されれば、スイッチばねの抜け防止に寄与するので、特に、稜線部に面取り部を設けた場合に有効である。
【００２０】
さらに、前記外径面又は前記内径面に、前記スイッチばねの軸周面に沿う断面形状を有する周方向溝が形成されて、前記スイッチばねは、前記周方向溝に嵌って前記外径面又は内径面に係止される構成を採用することができる。
このようにすれば、スイッチばねは、前記外径面又は前記内径面に沿う部分が全周に亘って溝に嵌って、軸状を成すスイッチばねの周面と前記外径面又は内径面との接触面積が増加する。このため、スイッチばねと嵌合部の外径面又は内径面と間に生じる面圧を、さらに低減することができる。
【発明の効果】
【００２１】
この発明は、スイッチばねと、そのスイッチばねを嵌める嵌合部との干渉による作動不良を防止することができる。
【発明を実施するための最良の形態】
【００２２】
一実施形態を図面に基づいて説明する。この回転伝達装置は、従動部材となる外輪１の内側に軸受を介して入力軸２’と一体に回転する内輪２が、同軸心上に相対回転可能に収納され、この外輪１と内輪２との間に二方向ローラクラッチＲと、その二方向ローラクラッチＲを係脱させる電磁クラッチＳとが設けられている。
図中の符号６は入力用リングであり、入力軸２’の一方端部にスプラインを介して取り付けられている。
【００２３】
その外輪１の内径面と内輪２の外径面とは対向しており、外輪１側の対向面に円筒面１ａが形成され、内輪２側の対向面には、その外輪１の円筒面１ａとの間で楔空間を形成する複数のカム面２ａが形成されている。
各カム面２ａは、外輪１の円筒面１ａとの間で、その中央から周方向に沿って両側へ向かうほど、前記円筒面１ａとの径方向間隔が狭くなる楔空間を形成し、そのカム面２ａが周方向に沿って等間隔で複数形成されている。
【００２４】
外輪１と内輪２との対向面間には、前記各カム面２ａ毎に一つのローラ５、及び、その全ローラ５の周方向位置を保持する環状の保持器４が設けられている。これらのローラ５及び保持器４の構成は従来例と同様であり、その保持器４の軸方向両端は、それぞれピン７ａ，８ａで入力軸２’又は内輪２に固定されたプレート７，８を介して、その入力軸２’及び内輪２に対して軸方向不動に固定され、且つ入力軸２’及び内輪２に対して回転自在に支持されている。前記楔空間に対して保持器４が周方向へ回転するとローラ５も周方向に移動し、そのローラ５が、前記楔空間内で外輪１と内輪２とを係合、又は係合解除させるよう機能する。
【００２５】
また、内輪２と保持器４との間には、前記ローラ５を係合させず中立位置に保持する機能を備えたスイッチばね１０が組み込まれる。
スイッチばね１０は、その全長に亘って断面円形の軸で構成されて、従来例と同様、周方向一箇所が開口した環状部１０ｃを有するＣ形の形状を成し、その両端部１０ａ，１０ｂが、前記環状部１０ｃからそれぞれ径方向外側に向かって伸びて対向する並行部１０ａ’，１０ｂ’を成している。
【００２６】
前記嵌合部Ｂには、その内径面２１ｂから径方向外側に伸びてカム面２ａに開口する切欠き１２が設けられている。また、保持器４にも、同じく径方向に伸びて内外方向に貫通する切欠き１１が設けられている。両切欠き１１，１２の周方向幅は同一となっている。
スイッチばね１０の両端部１０ａ，１０ｂに形成した並行部１０ａ’，１０ｂ’は、それぞれそれ、内輪２に形成した切欠き１２の相対する係止面１２ａ，１２ｂと、保持器４に形成した切欠き１１の相対する係止面１１ａ，１１ｂとにそれぞれ係止可能である。
したがって、スイッチばね１０を嵌合部Ｂにセットする際には、その環状部１０ｃを、前記内輪２に設けた嵌合部Ｂの内径面２１ｂに沿って嵌めるとともに、並行部１０ａ’，１０ｂ’を、保持器４及び内輪２にそれぞれ設けた切欠き１１，１２に係合させるように、その並行部１０ａ’，１０ｂ’同士を接近させる方向にスイッチばね１０を撓ませながらセットする（図２（ａ）参照）。
【００２７】
このとき、切欠き１２の相対する係止面１２ａ，１２ｂには、それぞれ前記スイッチばね１０の軸周面に沿う断面形状を有する径方向溝２２ａ，２２ｂが形成されている。このため、前記スイッチばね１０の両並行部１０ａ’，１０ｂ’は、その軸周面が、径方向溝２２ａ，２２ｂの底面と面接触した状態で、それぞれ前記径方向溝２２ａ，２２ｂに嵌って係止される（図２（ｂ）参照）。
また、内輪２の嵌合部Ｂの内径面２１ｂにも、同じく、前記スイッチばね１０の軸周面に沿う断面形状を有する周方向溝２３が形成されている。このため、前記スイッチばね１０の環状部１０ｃは、その軸周面が全長に亘って、前記周方向溝２３の底面と面接触した状態で、周方向溝２３に嵌って係止される（図３及び図４参照）。
【００２８】
さらに、前記内輪２に設けた切欠き１２の相対する係止面１２ａ，１２ｂと、前記嵌合部Ｂの内径面２１ｂとの成す軸方向の稜線部Ｃに、面取り部２０が設けられている。この面取り部２０は、図４（ａ）に示すように、前記内径面２１ｂから係止面１２ａ，１２ｂへと至るフラット面で形成されている。
【００２９】
電磁クラッチＳの構成は、図１に示すように、外輪１の軸方向端部の固定部１７に、電磁コイル１３を収納したフィールドコア１９が嵌合により固定されている。フィールドコア１９には、前記外輪１内のロータガイド１８内に圧入固定されたロータ１５が、軸周り回転可能に被せられている。ロータガイド１８は、ピン１８ａによって外輪１に対して回り止めがなされている。すなわち、固定部１７、フィールドコア１９は固定部材であり、また、外輪１、ロータガイド１８、ロータ１５はいかなるときも相対回転しないようになっている。
【００３０】
そのロータ１５に対向して、前記保持器４に対して軸方向に移動可能なアーマチュア１４が設けられている。また、このアーマチュア１４に設けた突部１４ａが保持器４の切欠き等に嵌って、アーマチュア１４と保持器４とが軸周り回転不能に接続されている。
アーマチュア１４は、前記ロータ１５に固定されたロータガイド１８のフランジ１８ｂとの対向面間に配置されて、電磁コイル１３の磁力の作用によって軸方向へ移動しロータ１５に吸着される。アーマチュア１４とロータ１５との対向面間には、波ばね等の弾性部材１６が設けられており、その弾性部材１６が保持器４に向けて、アーマチュア１４を軽く付勢している。
【００３１】
この実施形態の作用を説明すると、電磁クラッチＳの電磁コイル１３への電流が流れていないとき、二方向ローラクラッチＲは、スイッチばね１０の作用により、ローラ５がカム面２ａに係合しない中立位置へ保持されて、入力軸２’と一体に回転する内輪２と外輪１との係合は解かれている。
【００３２】
電磁クラッチＳの電磁コイル１３に電流を流して、アーマチュア１４をロータ１５側へ磁力により移動させ、そのロータ１５の端面に吸着させる。アーマチュア１４とロータ１５とが吸着した状態で内輪２と外輪１とが相対回転（空転）しようとすると、そのアーマチュア１４とロータ１５との間に発生した摩擦力によって、保持器４と外輪１とが一体化する。このため、前記内輪２と外輪１との相対回転に伴って、ローラ５は、カム面２ａの前記中立位置から楔空間両端の係合位置へ移動し、外輪１と内輪２とを係合させる。
すなわち、保持器４と内輪２とは、互いの切欠き１１，１２の周方向位置がずれると、ローラ５を介して内輪２と外輪１とが係合され、回転伝達が可能な状態となる。
【００３３】
このあと、電磁コイル１３を非通電とすると、アーマチュア１４とロータ１５とが弾性部材１６の弾性力で離反し、ローラ５は、スイッチばね１０の弾性力により、その保持器４とともに中立状態に復帰する。スイッチばね１０は、前記両切欠き１１，１２の周方向位置を合わすように、前記保持器４を周方向に付勢しているからである。
すなわち、保持器４と内輪２とは、互いの切り欠き部１１，１２の周方向位置が合致しているときは、ローラ５と外輪１の円筒面１ａとの間に隙間が存在し、内輪２と外輪１とは係合されず、空転が可能な状態となる。
【００３４】
このスイッチばね１０の動作において、内輪２内に設けた嵌合部Ｂの内径面２１ｂと、前記切欠き１２の係止面１２ａ，１２ａとの成す軸方向の稜線部Ｃに、面取り部２０が設けられているので、その稜線部Ｃの突出高さが抑えられ、その稜線部Ｃが、スイッチばね１０の屈曲部、すなわち、スイッチばね１０の環状部１０ｃと、そのスイッチばね１０の並行部１０ａ’，１０ｂ’との結節点（曲げ点）に当たらないようになる。すなわち、図４（ａ）に示すように、前記スイッチばね１０の前記屈曲部における前記稜線部Ｃに対向する側の周面の奥部と、その稜線部Ｃとの間に隙間ｖが生じる。
このため、スイッチばね１０と、そのスイッチばね１０を嵌める内輪２の嵌合部Ｂとの干渉による作動不良を防止することができる。
【００３５】
なお、上記実施形態において、面取り部２０の形状はフラット面に限定されず、例えば、図４（ｂ）に示すように、前記嵌合部Ｂの内径面２１ｂから、前記切欠き１２の係止面１２ａ，１２ｂへと徐々にカーブする弧状面であってもよい。また、その面取り部２０を前記弧状面とする場合は、その弧状面の曲率が、前記スイッチばね１０の屈曲部における前記稜線部Ｃに対向する側の面の曲率よりも大きくなるように設定すると、前記稜線部Ｃが、スイッチばね１０の前記屈曲部に当たらないようにする上で有効である。具体的には、図４（ｂ）に示すように、稜線部Ｃの半径ｒ１を、スイッチばね１０の屈曲部における半径ｒ２よりも大きくすることが望ましい。
【００３６】
また、このフラット面又は弧状面等からなる面取り部２０の範囲は、スイッチばね１０の両端部１０ａ，１０ｂが、前記切欠き１２の端面１２ａ，１２ｂにおいて確実に係止され、且つその係止部分に生じる面圧が許容値以下となるよう、所定の面積が確保されることが要件となる。したがって、図４（ａ）及び（ｂ）に示す係止部分の有効長さｗを所定値以上確保することが望ましい。
【００３７】
上記実施形態では、入力側を内輪２、従動側を外輪１としたが、内外逆転させて入力側を外輪１、従動側を内輪２とした態様も採用可能である。
【００３８】
さらに、二方向ローラクラッチＲを動作させる電磁クラッチＳは、他の形態からなる電磁クラッチＳも採用可能である。例えば、図５に示す逆作動型の電磁クラッチＳも採用可能である。
この逆作動型の電磁クラッチＳにおいて、永久磁石９の磁力の吸引力により、ロータ１５にアーマチュア１４を吸着して前記二方向ローラクラッチＲが係合され、電磁石の電磁コイル１３に対する通電により、前記アーマチュア１４の吸着を解除して二方向ローラクラッチＲを係合解除させることができる。
【００３９】
また、上記実施形態では、スイッチばね１０は、内輪２の前記外輪１に対する対向面（前記カム面２ａ）よりも内周側に設けた嵌合部Ｂの内径面２１ｂに沿って嵌められて、そのスイッチばね１０の両端部１０ａ，１０ｂに、外径方向に延びる並行部１０ａ’，１０ｂ’を形成したが、この実施形態に限定されず、例えば、図６及び図７（ａ）（ｂ）に示すように、前記スイッチばね１０の環状部１０ｃが、前記保持器４に設けた嵌合部Ｂの内径面２１ｄに沿って嵌められた構成も採用し得る。
この構成において、外輪１側の内径面にカム面１ｂが、内輪２側の外径面に円筒面２ｂが形成されており、スイッチばね１０の両端部１０ａ，１０ｂの並行部１０ａ’，１０ｂ’は、前記保持器４の内径面２１ｄに沿って嵌められた環状部１０ｃから外径方向に伸びて、前記保持器４に設けた切欠き１１の相対する係止面１１ａ，１１ｂと、前記外輪１に設けた切欠き１２の相対する係止面１２ａ，１２ｂとに係止されて、その弾性力により二方向ローラクラッチＲの前記中立位置を保持する構成となっている。
その保持器４に形成した各係止面１１ａ，１１ｂと、前記内径面２１ｄとの成す軸方向の稜線部Ｃに、面取り部２０を設けた構成となる。
【００４０】
また、図８に示すように、前記スイッチばね１０の環状部１０ｃが、前記外輪１に設けた嵌合部Ａの外径面２１ａに沿って嵌められた構成も採用し得る。
この構成において、そのスイッチばね１０の両端部１０ａ，１０ｂの並行部１０ａ’，１０ｂ’は、前記外輪１の外径面２１ａに沿って嵌められた環状部１０ｃから内径方向に伸びて、前記外輪１に設けた切欠き１２の相対する係止面１２ａ，１２ｂと、前記保持器４に設けた切欠き１１の相対する係止面１１ａ，１１ｂとに係止されて、その弾性力により二方向ローラクラッチＲの前記中立位置を保持する構成となっている。
その外輪１に形成した各係止面１２ａ，１２ｂと、前記外径面２１ａとの成す軸方向の稜線部Ｃに、面取り部２０を設けた構成となる。
【００４１】
さらに、図９に示すように、前記スイッチばね１０の環状部１０ｃが、前記保持器４に設けた嵌合部Ａの外径面２１ｃに沿って嵌められた構成も採用し得る。
この構成において、そのスイッチばね１０の両端部１０ａ，１０ｂの並行部１０ａ’，１０ｂ’は、前記保持器４の外径面２１ｃに沿って嵌められた環状部１０ｃから内径方向に伸びて、前記保持器４に設けた切欠き１１の相対する係止面１１ａ，１１ｂと、前記内輪２に設けた切欠き１２の相対する係止面１２ａ，１２ｂとに係止されて、その弾性力により二方向ローラクラッチＲの前記中立位置を保持する構成となっている。
その保持器４に形成した各係止面１１ａ，１１ｂと、前記外径面２１ｃとの成す軸方向の稜線部Ｃに、面取り部２０を設けた構成となる。
【図面の簡単な説明】
【００４２】
【図１】一実施形態の回転伝達装置の縦断正面図
【図２】（ａ）は図１のＩ−Ｉ線に沿った断面図、（ｂ）は内輪とスイッチばねとの位置関係を示す平面図
【図３】内輪の切断正面図
【図４】（ａ）は内輪とスイッチばねとの位置関係を示す要部拡大図で、（ｂ）は面取り部を弧状面とした構成の要部拡大図
【図５】他の実施形態の縦断正面図（要部）
【図６】さらに他の実施形態の縦断正面図
【図７】（ａ）は図６のＩ−Ｉ線に沿った断面図、（ｂ）は（ａ）の要部拡大図
【図８】さらに他の実施形態の断面図
【図９】（ａ）はさらに他の実施形態の断面図、（ｂ）は（ａ）の要部拡大図
【図１０】従来例の回転伝達装置の縦断正面図
【図１１】図７のＩ−Ｉ線に沿った断面図
【図１２】図７のII−II線に沿った断面図
【図１３】図９の作用図
【図１４】保持器の斜視図
【符号の説明】
【００４３】
１  外輪
２  内輪
２’  入力軸
４  保持器
５  ローラ
１０  スイッチばね
１０ａ，１０ｂ  端部
１０ａ’，１０ｂ’  並行部
１０ｃ  環状部
１１，１２  切欠き
１１ａ，１１ｂ，１２ａ，１２ｂ  端面（係止面）
１３  電磁コイル
１４  アーマチュア
１５  ロータ
１６  弾性部材
２０  面取り部
２１ａ，２１ｃ  外径面
２１ｂ，２１ｄ  内径面
２２ａ，２２ｂ  径方向溝
２３  周方向溝
Ａ，Ｂ  嵌合部
Ｃ  稜線部
Ｒ  二方向ローラクラッチ
Ｓ  電磁クラッチ  
【図１】
2008038929.tif 000003
【図２】
2008038929.tif 000004
【図３】
2008038929.tif 000005
【図４】
2008038929.tif 000006
【図５】
2008038929.tif 000007
【図６】
2008038929.tif 000008
【図７】
2008038929.tif 000009
【図８】
2008038929.tif 000010
【図９】
2008038929.tif 000011
【図１０】
2008038929.tif 000012
【図１１】
2008038929.tif 000013
【図１２】
2008038929.tif 000014
【図１３】
2008038929.tif 000015
【図１４】
2008038929.tif 000016